(57)【要約】【課題】  光源体の端子の変形を防止すると共に、接続を確実に行なえ、接続信頼性の高い照光表示付の回転型電気部品を提供する。【解決手段】  ハウジング１と、ハウジング１に回転可能に保持された回転部材９と、弾性を有する一対の導電板１０、１１と、一対の導電パターン６ａ、６ｂを有する絶縁基板５と、一対の電極１３ｂ、１３ｂを一対の側面に有するチップ型発光素子１３と、回転部材９の回転を検出する回転検出手段とを備え、一対の導電板１０、１１には、一端側に立設されて互いに対向して配置された接続片１０ｂ、１１ｂと、他端側に一対の導電パターン６ａ、６ｂと摺接する摺動子片１０ｃ、１１ｃを設け、一対の接続片１０ｂ、１１ｂをチップ型発光素子１３の一対の電極１３ｂ、１３ｂにそれぞれ弾接させると共に、一対の接続片１０ｂ、１１ｂでチップ型発光素子１３を挟持して回転部材９に保持した。【選択図】        図３
2006019337.tif 000002
【特許請求の範囲】
【請求項１】
ハウジングと、このハウジングに回転可能に保持された回転部材と、この回転部材に取付けられた弾性を有する一対の導電板と、前記ハウジング内に保持され、前記導電板と摺接する円弧状の一対の導電パターンを有する絶縁基板と、前記一対の導電板を介して前記一対の導電パターンと導通する一対の電極を一対の側面に有するチップ型発光素子と、前記回転部材の回転を検出する回転検出手段とを備え、前記一対の導電板には、一端側に立設されて互いに対向して配置された接続片と、他端側に前記一対の導電パターンと摺接する摺動子片を設け、前記一対の接続片を前記チップ型発光素子の一対の電極にそれぞれ弾接させると共に、前記一対の接続片で前記チップ型発光素子を挟持して前記回転部材に保持したことを特徴とする回転型電気部品。
【請求項２】
前記回転部材に係合されるホルダーを備え、このホルダーあるいは前記回転部材に、弾性を有するフック状の係合部を設け、この係合部により前記ホルダーを前記回転部材にスナップ止めして取付けると共に、前記ホルダーで前記チップ型発光素子を位置決めしたことを特徴とする請求項１記載の回転型電気部品。
【請求項３】
前記ホルダーには、導光用の中空部と、この中空部の上下方向に貫通した弾性付与用のスリットを設け、このスリット側を前記回転部材に係合する係合面としたことを特徴とする請求項２記載の回転型電気部品。
【請求項４】
前記絶縁基板の一面側に前記チップ型発光素子用の一対の導電パターンを設けると共に、前記絶縁基板の他面側には、前記回転検出手段用の回路パターンを形成したことを特徴とする請求項１乃至３の何れかに記載の回転型電気部品。
【請求項５】
前記回転部材は、中央に空洞部を有する筒状に形成され、前記一対の接続片は、前記回転部材の周方向に間隔をおいて対向して配置したことを特徴とする請求項１乃至４の何れかに記載の回転型電気部品。
【発明の詳細な説明】
【技術分野】
【０００１】
本発明は、電子機器等の各種コントロールに使用される回転型電気部品の構造に係り、特に操作つまみの回転角度位置等をＬＥＤ等の光源の光により表示する照光表示付の回転型電気部品の構造に関する。
【背景技術】
【０００２】
従来の回転型電気部品の構造としては、光源表示付回転操作式可変抵抗器の抵抗素子基板よりも前側に光源用集電部（摺動接点部）を設け、この摺動接点と電気的に導通した光源用ソケット部を可変抵抗器前面に設けることにより光源体を直接可変抵抗器の前面に取付けるようにした構造のものが知られている（例えば、特許文献１参照）。
【０００３】
以下、従来の回転型電気部品の構造を図に基づいて説明する。
図１２は従来の回転型電気部品を示す断面図、図１３は同光源用接点基板の平面図、図１４は同光源用回転体の平面図である。
【０００４】
図１２は光源表示付回転操作式可変抵抗器の実施例を示すものであり、図においてＥは表示部、Ｆは光源用集電部、Ｇは可変抵抗器部、Ｈはプッシュ式スイッチ部である。
【０００５】
表示部Ｅは光源体収容孔２１およびこれと連続して外周側に設けられ透明樹脂がはめ込まれた表示用前面窓２２を有し、中心を操作軸前端部２３ａに挿入結合されたツマミ２４と、合成樹脂等の絶縁材料からなる光源用回転体２５の中心から外れた外周側に設けられたソケット孔２６に前面側から挿入され、先端発光部がツマミ２４の光源体収容孔２１内に配置されて露出している光源体２７とから成っている。
【０００６】
光源用集電部Ｆは図１３に示すように２個の同心円状固定接点２８，２９およびこれらへの入力端子２８ａ，２９ａを有する接点基板３０と、弾性金属材料から成り、この２個の同心円状固定接点２８，２９のそれぞれに対して摺動接触する摺動弾性接点部３１，３２およびこれらから一体に形成され光源用回転体２５の孔２５′を通ってソケット孔２６まで延長されて光源体２７の入力端子３３，３４とそれぞれ弾力性を利用して圧接接続する弾性脚部３５ａ，３６ａを有する２個の可動接点体３５，３６と、合成樹脂から成り、前面側に光源用ソケット孔２６を有すると共に、後面側に上記２個の可動接点体３５，３６を抱持し、その中央非円形孔３７には図１４に示すように同形状外形の操作軸中間部２３ｂを遊嵌合されると共にその中間円筒部２５ａ外径を軸受３８により回転可能なように支持された回転体２５とから成っている。
【０００７】
可変抵抗器部Ｇは光源用集電部Ｆの後部に位置し、操作軸中間非円形部２３ｂを遊嵌合された摺動子保持体３９と、これに保持され抵抗基板４０上の抵抗素子４１上を回転摺動する摺動子４２および外部接続用の端子４３，４３′（４３′は図示せず）と、これらを収容するケース４４とから成り、更に、プッシュ式スイッチ部Ｈは、操作軸２３の後端２３ｃに当接した駆動体４５を押すことにより、その外部端子４６，４７間（４７は図示せず）が電気的に開閉する一般のものであり、その内部構造の説明は省略する。
【０００８】
この構成においてツマミ２４を回転操作すると、操作軸２３を経て光源用回転体２５および可変抵抗器用摺動子保持体３９が回転し、２個の光源用可撓接点体３５，３６の摺動弾性接点部３１，３２はそれぞれ同心円状固定接点２８，２９上を回転摺動していき、弾性脚部３５ａ，３６ａを経て光源体２７の入力端子３３，３４に電流を供給するので光源体２７は常に点灯しながらツマミ２４と共に回転する。この時、可変抵抗器部Ｇの外部接続用端子４３，４３′間の抵抗値が変化する。
【０００９】
また、ツマミ２４を押すと、操作軸２３は光源用回転体２５および可変抵抗器用摺動子保持体３９の孔に遊嵌合されているので、これら回転体２５，３９に関係なく前後方向に動き、その後端２３ｃでプッシュ式スイッチの駆動体４５を押し、プッシュ式スイッチ部の外部端子４６，４７間の開閉をおこなう。
【００１０】
【特許文献１】特公平６−４０５２７号公報
【発明の開示】
【発明が解決しようとする課題】
【００１１】
しかしながら、上述した従来の回転型電気部品においては、光源体２７の入力端子（リード端子）３３、３４と、可動接点体の弾性脚部３５ａ、３６ａとがそれぞれ圧接接続する構造となっており、弾性脚部３５ａ、３６ａの弾性力によって入力端子３３、３４が変形してしまい、互いの接続が不安定になり、接続信頼性が悪くなるという問題があった。
【００１２】
したがって、本発明では上述した問題点を解決し、光源体の端子（電極）の変形を防止すると共に、接続を確実に行なえ、接続信頼性の高い照光表示付の回転型電気部品を提供することを目的とする。
【課題を解決するための手段】
【００１３】
上記課題を解決するために本発明では第１の解決手段として、ハウジングと、このハウジングに回転可能に保持された回転部材と、この回転部材に取付けられた弾性を有する一対の導電板と、前記ハウジング内に保持され、前記導電板と摺接する円弧状の一対の導電パターンを有する絶縁基板と、前記一対の導電板を介して前記一対の導電パターンと導通する一対の電極を一対の側面に有するチップ型発光素子と、前記回転部材の回転を検出する回転検出手段とを備え、前記一対の導電板には、一端側に立設されて互いに対向して配置された接続片と、他端側に前記一対の導電パターンと摺接する摺動子片を設け、前記一対の接続片を前記チップ型発光素子の一対の電極にそれぞれ弾接させると共に、前記一対の接続片で前記チップ型発光素子を挟持して前記回転部材に保持した構成とした。
【００１４】
また、第２の解決手段として、前記回転部材に係合されるホルダーを備え、このホルダーあるいは前記回転部材に、弾性を有するフック状の係合部を設け、この係合部により前記ホルダーを前記回転部材にスナップ止めして取付けると共に、前記ホルダーで前記チップ型発光素子を位置決めした構成とした。
また、第３の解決手段として、前記ホルダーには、導光用の中空部と、この中空部の上下方向に貫通した弾性付与用のスリットを設け、このスリット側を前記回転部材に係合する係合面とした構成とした。
【００１５】
また、第４の解決手段として、前記絶縁基板の一面側に前記チップ型発光素子用の一対の導電パターンを設けると共に、前記絶縁基板の他面側には、前記回転検出手段用の回路パターンを形成した構成とした。
また、第５の解決手段として、前記回転部材は、中央に空洞部を有する筒状に形成され、前記一対の接続片は、前記回転部材の周方向に間隔をおいて対向して配置した構成とした。
【発明の効果】
【００１６】
上述したように、本発明の回転型電気部品は、ハウジングと、ハウジングに回転可能に保持された回転部材と、回転部材に取付けられた弾性を有する一対の導電板と、ハウジング内に保持され、導電板と摺接する円弧状の一対の導電パターンを有する絶縁基板と、一対の導電板を介して一対の導電パターンと導通する一対の電極を一対の側面に有するチップ型発光素子と、回転部材の回転を検出する回転検出手段とを備え、一対の導電板には、一端側に立設されて互いに対向して配置された接続片と、他端側に一対の導電パターンと摺接する摺動子片を設け、一対の接続片をチップ型発光素子の一対の電極にそれぞれ弾接させると共に、一対の接続片でチップ型発光素子を挟持して回転部材に保持したことから、チップ型発光素子の一対の電極に接続片の弾発力が加わったとしても、一対の電極はそれぞれ反対側の側面に形成されているため、電極が内側に変形することがないので、電極と接続片との接続が確実に行なわれることになり、接続信頼性が向上する。
【００１７】
また、回転部材に係合されるホルダーを備え、ホルダーあるいは回転部材に、弾性を有するフック状の係合部を設け、係合部によりホルダーを回転部材にスナップ止めして取付けると共に、ホルダーでチップ型発光素子を位置決めしたことから、ホルダーを回転部材に容易に取付けることが可能となり、組立作業性が向上すると共に、ホルダーによりチップ型発光素子を回転部材に確実に位置決めして取付けることができる。
また、ホルダーには、導光用の中空部と、中空部の上下方向に貫通した弾性付与用のスリットを設け、スリット側を回転部材に係合する係合面としたことから、ホルダーを回転部材に容易にスナップ止めできると共に、ホルダーのスリットからのチップ型発光素子の光モレを防止できる。
【００１８】
また、絶縁基板の一面側にチップ型発光素子用の一対の導電パターンを設けると共に、絶縁基板の他面側には、回転検出手段用の回路パターンを形成したことから、構成部品を共用化できるので、部品点数の削減が図れると共に、回転型電気部品の小型化が図れる。
また、回転部材は、中央に空洞部を有する筒状に形成され、一対の接続片は、回転部材の周方向に間隔をおいて対向して配置したことから、外形を大きくせずに中央に所望の空洞部を形成できるので、小型の回転型電気部品を提供できる。
【発明を実施するための最良の形態】
【００１９】
以下、本発明の回転型電気部品の実施形態を図１乃至図１１に示す。図１は本発明の回転型電気部品の分解斜視図、図２は本発明の回転型電気部品の全体斜視図、図３は本発明の回転型電気部品の要部断面図、図４はチップ型発光素子を示す斜視図、図５は同じく平面図、図６はホルダーの斜視図、図７は同じく背面図、図８は導電板の斜視図、図９は同じく平面図、図１０は絶縁基板の正面図、図１１は絶縁基板の背面図である。
【００２０】
図において、ハウジング１は、合成樹脂等の絶縁材からなり、中央に大きな空洞部を有する筒状軸１ａが突出して設けられており、この筒状軸１ａの基部外周には、円環状の底面部を有する収納部１ｂが設けられている。また、この収納部１ｂには外方へ突出する収容凹部１ｃが設けられており、この収容凹部１ｃに後述する絶縁基板５が位置決めされて収納部１ｂに保持されるものとなっている。また、ハウジング１の外側面には、上下方向に沿って複数の係合溝１ｄが設けられており、この係合溝１ｄに後述する取付板１４の係合脚片１４ｂが係合されて取付けられるものとなっている。
【００２１】
また、前記収納部１ｂには、弾性を有する金属板からなり、円環状をした板ばね２が収納されて固着されており、この板ばね２にはクリック用突起２ａが設けられ、後述するクリック板３のクリックカム３ｂと摺動することで回転時のクリック感触が得られるものとなっている。
【００２２】
クリック板３は、合成樹脂等の絶縁材からなり、中央に大きな開口部を有する円環状の基盤部３ａを有しており、この基盤部３ａの背面（裏面）側には前記板ばね２のクリック用突起２ａと摺動して回転時のクリック感触を起生させる連続した凹凸状のクリックカム３ｂが形成されている。また、前記基盤部３ａの上面側の開口部周縁には、環状の突出部３ｃが設けられ、この突出部３ｃには後述する回転部材９に係合される複数（本実施例では４個）の係合凹溝３ｄが設けられている。また、前記基盤部３ａの上面側には、後述する絶縁基板５の回路パターン７と摺接する弾性を有する導電性の薄板金属板からなる摺動子４が固着されている。
【００２３】
絶縁基板５は、フェノール樹脂等の積層板からなり、同じく中央に大きな開口部を有する略円形の平板状に形成されており、円環状の基板部５ａと方形状の基台部５ｂとを有している。円環状の基板部５ａの一面側である上面側には、開口部に沿って円弧状に配設された一対の導電パターン６ａ、６ｂが形成されている（図１０参照）。この導電パターン６ａ、６ｂは、銅箔あるいは銅箔に銀等を被覆した良導電性の材料で互いに等間隔で同心円状に平行して設けられている。また、一対の導電パターン６ａ、６ｂの一端側には引出しパターン６ｃ、６ｄが設けられ、この引出しパターン６ｃ、６ｄが前記基台部５ｂに延設されている。
【００２４】
また、円環状の基板部５ａの他面側である背面側には、開口部に沿って内側に環状に配設されたコモンパターン７ａと、このコモンパターン７ａの外周に沿って平行して円弧状に配設された抵抗パターン７ｂが形成されており、このコモンパターン７ａと抵抗パターン７ｂとで回路パターン７を構成している（図１１参照）。本実施例では、例えば、コモンパターン７ａは、銀パターンあるいは銀パターンにカーボンなどを被覆して印刷形成した良導電性の材料で形成され、抵抗パターン７ｂは、カーボンなどをコーティング（印刷）して形成されている。この回路パターン７に前記クリック板３の基盤部３ａに固着された摺動子４が摺接することで所望の信号を出力するものとなっている。この回路パターン７及び摺動子４で回転検出手段を構成している。
【００２５】
また、前記基台部５ｂには、導電性の金属板で形成され、一端が基台部５ｂの背面側に固着され、他端がＬ字状に折り曲げられて基台部５ｂの背面と直交する方向へ突出された複数の接続端子８（本実施例では５個）が形成されている。この接続端子８の一端側には、基台部５ｂの表裏へ貫通した状態で固着された固着部８ａが設けられている。この固着部８ａを介して接続端子８の一つ（中央に位置する接続端子８）と前記コモンパターン７ａの引出し部７ｃが前記基台部５ｂの背面側で電気的に接続されており、また、前記抵抗パターン７ｂの両端部が前記固着部８ａを介して接続端子８の二つ（中央を挟んで両側に位置する接続端子８）と前記基台部５ｂの背面側で電気的に接続されている。
【００２６】
また、前記基台部５ｂの上面側で、前記一対の導電パターン６ａ、６ｂの引出しパターン６ｃ、６ｄが前記固着部８ａを介して接続端子８の二つ（両端側に位置する接続端子８）と電気的に接続されている。すなわち、前記絶縁基板５の上面側に形成された導電パターン６ａ、６ｂ及び、背面側に形成された回路パターン７ａ、７ｂが、絶縁基板５の一面の背面側に配設された前記接続端子８と、それぞれ電気的に接続されている。
【００２７】
このように、前記絶縁基板５の一面側に後述するチップ型発光素子１３用の一対の導電パターン６ａ、６ｂを設けると共に、この絶縁基板５の他面側には、回転検出手段用の回路パターン７（コモンパターン７ａ及び抵抗パターン７ｂ）を形成したことから、構成部品を共用化できるので、部品点数の削減が図れると共に、回転型電気部品の小型化が図れるものとなっている。
【００２８】
前記絶縁基板５は、前記クリック板３の上面側と後述する回転部材９の円板部９ｂの下面側に対向して挟持された状態で前記ハウジング１の収納部１ｂに収容されるものとなっている。また、前記ハウジング１の収納部１ｂ内に収容される際には、前記基台部５ｂが収納部１ｂに設けられた前記収容凹部１ｃに位置決めされることにより保持されるものとなり、前記接続端子８が収容凹部１ｃの底面部から突出して配設されるものとなっている。
【００２９】
回転部材９は、合成樹脂等の絶縁材からなり、中央に大きな空洞部を有する筒状に形成されている。この回転部材９には、前記ハウジング１の筒状軸１ａに回転可能に軸支される円筒状の回転軸９ａと、前記ハウジング１の収納部１ｂに収容される円板部９ｂとが設けられている。
【００３０】
また、円板部９ｂの下面側には、空洞部の周縁に沿って下方へ突出する複数（本実施例では４個）の係合片９ｃが設けられている。この係合片９ｃが、前記ハウジング１の収納部１ｂに収容される前記クリック板３に設けられた複数の係合凹溝３ｄと係合することにより、回転部材９の回転に伴ってクリック板３が共回り可能となっている。
【００３１】
また、円板部９ｂの下面側には、弾性を有する導電性の薄板金属板からなる、一対の導電板１０、１１が熱カシメ等により固着されている。これらの導電板１０、１１は、円板部９ｂに固着される孔を有する平板状の基部１０ａ、１１ａと、この基部１０ａ、１１ａの一端側に立設されて互いに対向して配置された接続片１０ｂ、１１ｂと、その他端側に平行して延出された摺動子片１０ｃ、１１ｃとを有している（図８参照）。また、前記一対の接続片１０ｂ、１１ｂは、前記円板部９ｂの周方向に沿って間隔をおいて対向して配置されている。
【００３２】
前記一対の導電板１０、１１の摺動子片１０ｃ、１１ｃが、前記絶縁基板５の基板部５ａに形成された一対の導電パターン６ａ、６ｂと摺接するものとなっている。また、前記一対の接続片１０ｂ、１１ｂは、前記円板部９ｂに設けられた通孔９ｄを通して回転軸９ａ側へ延設されており、この接続片１０ｂ、１１ｂが、回転部材９に保持される後述するチップ型発光素子１３の電極１３ｂと弾接するものとなっている。
【００３３】
このように、前記回転部材９が、中央に空洞部を有する筒状に形成されていても、前記一対の接続片１０ｂ、１１ｂを、前記回転部材９の周方向に間隔をおいて対向して配置するようにすれば、回転部材９の外形を大きくしなくても中央に所望の大きさの空洞部を形成することができるので、容易に照光表示付の小型の回転型電気部品を提供できるものとなっている。
【００３４】
また、前記回転部材９の回転軸９ａの一側面部には、後述するチップ型発光素子１３を保持するホルダー１２が係合されるホルダー保持部９ｅが設けられている。また、このホルダー保持部９ｅには、ホルダー１２の弾性を有するフック状の係合部１２ｄが係合される係合凹部９ｆが設けられており、これら係合部１２ｄ及び係合凹部９ｆによりホルダー１２が前記回転部材９にスナップ止めして取付けられるものとなっている（図３参照）。
【００３５】
ホルダー１２は、合成樹脂等の絶縁材からなり、略方形の筒状をしており、中央には上下方向に貫通した導光用の中空部１２ａが設けられている。また、この中空部１２ａの一側面（底面側）には、上下方向に連続したスリット１２ｂが設けられており、このスリット１２ｂを設けることにより、対向する一対の側面部に弾力性を持たせるようになっている。このホルダー１２は、前記回転部材９のホルダー保持部９ｅに係合されて、照光表示用の光源となるチップ型発光素子１３を下端側に位置決めして回転部材９に保持されるようになっている。
【００３６】
この場合、前記ホルダー１２は、前記スリット１２ｂが設けられた底面側が回転部材９との係合面とされており、照光表示用のチップ型発光素子１３からの光は、前記導光用の中空部１２ａを通して回転部材９の上方側へと導かれるが、前記スリット１２ｂからの光モレは発生しないものとなっている。
【００３７】
また、ホルダー１２の下端側には、前記チップ型発光素子１３の素子部１３ａをガイドする突状の素子ガイド部１２ｃが設けられており、このホルダー１２が前記回転部材９のホルダー保持部９ｅに係合された際には、この素子ガイド部１２ｃによりチップ型発光素子１３が前記回転部材９から外れるのを防止するとともに不所望な光モレを防止している。
【００３８】
ここで、前記チップ型発光素子１３は、矩形状をした発光ダイオード（ＬＥＤ）からなり、発光面となる素子部１３ａの上面側の端部が前記ホルダー１２の下端側に当接されると共に、前記回転部材９に固着された一対の導電板１０、１１の接続片１０ｂ、１１ｂによって一対の電極１３ｂ、１３ｂが挟持されて弾接された状態となっている。すなわち、チップ型発光素子１３の対向する一対の側面にそれぞれ設けられた一対の電極１３ｂ、１３ｂは、前記回転部材９に固着された一対の導電板１０、１１を介して前記絶縁基板５の上面側に形成された一対の導電パターン６ａ、６ｂと接続され導通するものとなる。
【００３９】
また、前記ホルダー１２の下端側の対向する一対の側面部には、外方へ突出した弾性を有するフック状の係合部１２ｄ、１２ｄが形成されており、このフック状の係合部１２ｄ、１２ｄが、前記回転部材９のホルダー保持部９ｅに形成された前記係合凹部９ｆにスナップ止めされることにより、ホルダー１２が回転部材９に取り付けられるものとなる。
【００４０】
このように、前記ホルダー１２に、弾性を有するフック状の前記係合部１２ｄ、１２ｄを設け、この係合部１２ｄ、１２ｄにより前記ホルダー１２を前記回転部材９にスナップ止めして取付けると共に、このホルダー１２でチップ型発光素子１３を位置決めするようにしたので、前記ホルダー１２を前記回転部材９に容易に取付けることが可能となり、組立作業性が向上すると共に、ホルダー１２によりチップ型発光素子１３を回転部材９に確実に位置決めして取付けることができるものとなる。
尚、このフック状の係合部１２ｄ、１２ｄは、回転部材９側に形成するようにしても良い。
【００４１】
また、前記ホルダー１２には、前記導光用の中空部１２ａと、この中空部１２ａの上下方向に貫通した弾性付与用の前記スリット１２ｂを設け、このスリット１２ｂ側を前記回転部材９に係合する係合面としたので、前記ホルダー１２を前記回転部材９に容易にスナップ止めできると共に、前記ホルダー１２（スリット１２ｂ）からのチップ型発光素子１３の光モレを防止できるものとなっている。
【００４２】
取付板１４は、金属板を打ち抜き、折り曲げて形成されており、円環状の上板部１４ａと、この上板部１４ａから直角方向に垂下された複数の係合脚片１４ｂ（本実施例では４個）と、一対の枠足１４ｃとを有している。この取付板１４は、前記ハウジング１の収納部１ｂに収容された、前記回転部材９の上方から前記ハウジング１の上面に載置されると共に、前記複数の係合脚片１４ｂが前記ハウジング１の外側面に形成された前記複数の係合溝１ｄと係合されることにより、前記回転部材９をハウジング１に回転可能に収容して取付けるものとなっている。
尚、図示していないが、ハウジング１には、回転部材９及びクリック板３の回転角度を規制するストッパが設けられており、前記摺動子片１０ｃ、１１ｃの摺動領域が導電パターン６ａ、６ｂから外れないように構成されている。
【００４３】
次に、上記実施例の回転型電気部品の動作について説明すると、前記回転部材９の回転軸９ａが回転操作されると、円板部９ｂの下面側に係合された前記クリック板３が共に回転し、この回転時にクリック板３の背面（裏面）側に設けられた凹凸状のクリックカム３ｂが、前記ハウジング１の収納部１ｂに固着された板ばね２のクリック用突起２ａと摺動して回転する際のクリック感触を起生する。
【００４４】
この時、前記クリック板３の上面側に固着された前記摺動子４が、絶縁基板５の背面側に設けられた前記回路パターン７（コモンパターン７ａ及び抵抗パターン７ｂ）と摺接することにより、回転角度に則した所望の信号値（抵抗値）が得られるものとなり、接続端子８を介して外部の電子機器等の制御回路へ出力されるものとなる。
【００４５】
また、この時、前記回転部材９に取付けられた照光表示用の前記チップ型発光素子１３は、一対の電極１３ｂ、１３ｂが円板部９ｂに固着された前記一対の導電板１０、１１を介して回転操作の間中、常時、絶縁基板５の上面側に設けられた前記一対の導電パターン６ａ、６ｂと摺接した状態となっており、接続端子８を介して一対の電極１３ｂ、１３ｂに外部の電源が供給されていることから、回転操作中に渡って外部つまみへの照光表示が可能となっている。
【００４６】
尚、上記実施例では、回転検出手段である前記回路パターン７をコモンパターン７ａと抵抗パターン７ｂで形成する可変抵抗器回路で構成するようにしたが、本発明はこれに限らず、回路パターン７をコモンパターンとコードパターン、あるいは接点パターン等で形成してエンコーダ回路、あるいはスイッチ回路等を構成するようにしても良い。
【００４７】
上記した本発明の実施例によれば、ハウジング１に回転可能に保持された回転部材９と、この回転部材９に固着された弾性を有する一対の導電板１０、１１と、この導電板１０、１１と当接する一対の電極１３ｂ、１３ｂを一対の側面に有するチップ型発光素子１３と、一対の導電パターン６ａ、６ｂを有する絶縁基板５とを備え、前記一対の導電板１０、１１には、一端側に立設されて互いに対向して配置された接続片１０ｂ、１１ｂと、他端側に前記一対の導電パターン６ａ、６ｂと摺接する摺動子片１０ｃ、１１ｃを設け、この一対の接続片１０ｂ、１１ｂを前記チップ型発光素子１３の一対の電極１３ｂ、１３ｂにそれぞれ弾接させると共に、前記一対の接続片１０ｂ、１１ｂで前記チップ型発光素子１３を挟持して前記回転部材９に保持したことから、前記チップ型発光素子１３の一対の電極１３ｂ、１３ｂに前記接続片１０ｂ、１１ｂの弾発力が加わったとしても、前記一対の電極１３ｂ、１３ｂはそれぞれ反対側の側面に形成されているため、これらの電極１３ｂ、１３ｂが内側に変形することがないので、前記電極１３ｂ、１３ｂと前記接続片１０ｂ、１１ｂとの接続が確実に行なわれることになり、接続信頼性が向上するものとなっている。
【図面の簡単な説明】
【００４８】
【図１】本発明の回転型電気部品を示す分解斜視図である。
【図２】本発明の回転型電気部品を示す全体斜視図である。
【図３】本発明の回転型電気部品を示す要部断面図である。
【図４】本発明のチップ型発光素子を示す斜視図である。
【図５】本発明のチップ型発光素子を示す平面図である。
【図６】本発明のホルダーを示す斜視図である。
【図７】本発明のホルダーを示す背面図である。
【図８】本発明の導電板を示す斜視図である。
【図９】本発明の導電板を示す平面図である。
【図１０】本発明の絶縁基板を示す正面図である。
【図１１】本発明の絶縁基板を示す背面図である。
【図１２】従来の回転型電気部品を示す断面図である。
【図１３】従来の同光源用接点基板を示す平面図である。
【図１４】従来の同光源用回転体を示す平面図である。
【符号の説明】
【００４９】
１：ハウジング
１ａ：筒状軸
１ｂ：収納部
１ｃ：収容凹部
１ｄ：係合溝
２：板ばね
２ａ：クリック用突起
３：クリック板
３ａ：基盤部
３ｂ：クリックカム
３ｃ：突出部
３ｄ：係合凹溝
４：摺動子（回転検出手段）
５：絶縁基板
５ａ：基板部
５ｂ：基台部
６ａ：導電パターン
６ｂ：導電パターン
６ｃ：引出しパターン
６ｄ：引出しパターン
７：回路パターン（回転検出手段）
７ａ：コモンパターン
７ｂ：抵抗パターン
７ｃ：引出し部
８：接続端子
８ａ：固着部
９：回転部材
９ａ：回転軸
９ｂ：円板部
９ｃ：係合片
９ｄ：通孔
９ｅ：ホルダー保持部
９ｆ：係合凹部
１０：導電板
１０ａ：基部
１０ｂ：接続片
１０ｃ：摺動子片
１１：導電板
１１ａ：基部
１１ｂ：接続片
１１ｃ：摺動子片
１２：ホルダー
１２ａ：中空部
１２ｂ：スリット
１２ｃ：素子ガイド部
１２ｄ：係合部
１３：チップ型発光素子
１３ａ：素子部
１３ｂ：電極
１４：取付板
１４ａ：上板部
１４ｂ：係合脚片
１４ｃ：枠足
【図１】
2006019337.tif 000003
【図２】
2006019337.tif 000004
【図３】
2006019337.tif 000005
【図４】
2006019337.tif 000006
【図５】
2006019337.tif 000007
【図６】
2006019337.tif 000008
【図７】
2006019337.tif 000009
【図８】
2006019337.tif 000010
【図９】
2006019337.tif 000011
【図１０】
2006019337.tif 000012
【図１１】
2006019337.tif 000013
【図１２】
2006019337.tif 000014
【図１３】
2006019337.tif 000015
【図１４】
2006019337.tif 000016